(57)【要約】【課題】道路維持管理や土木工事で発生する自然廃棄物のリサイクルを図り、低コストにして高効力を発揮する雑草抑止マルチング材を得ること。【解決手段】自然廃棄物の破砕片（粒・粉状）をセメントや樹脂で練り込んで任意形状に成形する。これらを雑草の発生・生育を抑止したい個所に敷設（マルチング）することにより、飛来し発芽した雑草の根が土中へ浸透するのを防ぎ、マルチング下で発芽した雑草発育を抑制することが出来る。マルチング材は軽く、地面に凹凸があっても容易に敷設できるので、施工性に優れる。さらに、道路維持管理や土木工事における自然廃棄物のリサイクルを、その発生現場において実現できる。【特許請求の範囲】
【請求項１】
剪定枝などの自然廃棄物の破砕片・破砕粉とバインダーを混練し、任意形状の小片に成形してなることを特徴とする雑草抑止マルチング材
【請求項２】
剪定枝などの自然廃棄物の破砕片・破砕粉とバインダーを混練し、キューブ状の小片に成形してなることを特徴とする雑草抑止マルチングキューブ
【請求項３】
請求項１の雑草抑止マルチング材又は請求項２の雑草抑止マルチングキューブにおいて、前記バインダーがセメントなどの水硬性バインダーであることを特徴とする雑草抑止マルチング材又は雑草抑止マルチングキューブ
【請求項４】
請求項１の雑草抑止マルチング材又は請求項２の雑草抑止マルチングキューブにおいて、前記バインダーが熱可塑性樹脂又は熱硬化性樹脂であることを特徴とする雑草抑止マルチング材又は雑草抑止マルチングキューブ
【請求項５】
請求項１の雑草抑止マルチング材又は請求項２の雑草抑止マルチングキューブにおいて、前記バインダーが生分解性樹脂であることを特徴とする雑草抑止マルチング材又は雑草抑止マルチングキューブ
【請求項６】
請求項１、２、３、４又は５の雑草抑止マルチング材又は雑草抑止マルチングキューブにおいて、前記バインダーの重量割合が２〜５５％であることを特徴とする雑草抑止マルチング材又は雑草抑止マルチングキューブ
【請求項７】
請求項１、２、３、４、５又は６の雑草抑止マルチング材又は雑草抑止マルチングキューブにおいて、前記小片の大きさが最大径において０．２〜９．５ｃｍであることを特徴とする雑草抑止マルチング材又は雑草抑止マルチングキューブ
【請求項８】
請求項１、２、３、４、５、６又は７の雑草抑止マルチング材又は雑草抑止マルチングキューブにおいて、前記小片がフェライト等の金属粉を含むものであることを特徴とする雑草抑止マルチング材又は雑草抑止マルチングキューブ
【請求項９】
請求項８の雑草抑止マルチング材又は雑草抑止マルチングキューブにおいて、前記金属粉が磁性を有することを特徴とする雑草抑止マルチング材又は雑草抑止マルチングキューブ
【請求項１０】
請求項１〜９のマルチング材又は雑草抑止マルチングキューブから選択された１種又は複数種のマルチング材又はマルチングキューブを施工面に敷き詰めることを特徴とする雑草抑止方法
【発明の詳細な説明】
【０００１】
【発明の属する技術分野】
本発明は、道路建設予定地、道路の中央分離帯や植樹帯などに雑草が発生・生育するのを防止するための雑草抑止マルチング材に関する。
【０００２】
【従来の技術】
道路建設予定地、道路の中央分離帯や側帯などに雑草が発生・生育するのを防止するために、一般的に行われている工法は、剪定枝などの木材をチップ化し、地面に１０〜１５ｃｍ厚で敷き均すいわゆるチップマルチング工法である。また、道路等の維持管理で発生する雑草の刈草を微粉砕し樹脂と混練り後、薄くて長尺状に成形した雑草シートを敷設していく雑草抑止工法が開発されている（特開平２００２−１５４９１２）。
【０００３】
【発明が解決しようとする課題】
前記のチップによるマルチング工法は簡便な雑草抑止法ではあるが、風による小片の飛散、乾燥した敷設場所へのたばこの投げ捨てによる火災発生の危険、臭気・害虫・かび・茸の発生等の環境悪化問題がありまた、その耐用年数も半年から１年と短く、毎年のように敷設替えのコストがかかるという問題が指摘されている。さらには雑草抑止効果そのものも疑問視されている。
【０００４】
前記のシート状雑草抑止材は、道路の未供用地等比較的広い面積に敷設する場合は、施工性・コスト共に効果的なものであるが、道路管理地の植樹帯・狭隘な中央分離帯・交通島などに敷設することは、施工効率上多少の問題があり、より簡便で効率的なマルチング材の開発が望まれている。
【０００５】
国や自治体等では良好な道路・河川環境を維持する為に、定期的な樹木の剪定や雑草の刈取りが実施されている。しかし、多額の雑草刈取り・剪定費用の発生や、発生した刈草や剪定枝葉の処分場不足・焼却処分費の負担増などの問題が発生している。
【０００６】
近年の厳しい経済・財政状況を反映した管理費用の縮減や、施工コストの縮減等の観点から雑草抑止のより効率的且つ低コストの工法の開発が望まれている。
【０００７】
さらに、自然廃棄物は、従来行われていた野焼きや廃棄処分が法的に禁止されたり厳しく制限されるにいたって、多額の費用を払って自治体の焼却場等に持ち込み焼却処分を余儀なくされている。しかし、湿気を帯びた刈り草・剪定枝葉を焼却炉で混合焼却すると、炉の温度が下がりダイオキシンが発生しやすくなるので、このような焼却処分は好ましくない。従って、現場発生材は現場でリサイクルすることが要請されている。
【０００８】
本発明は、土木工事における自然廃棄物のリサイクルを図り、低コストにして高効力を発揮する雑草抑止材を得ることを課題としてなされたものである。
【０００９】
【課題を解決するための手段】
上記課題を解決するために、本発明の雑草抑止マルチング材は、剪定枝などの自然廃棄物の破砕片・破砕粉とバインダーを混練し、任意形状の小片に成形したもので、遮光性と貫通抵抗性に優れた雑草抑止効果を得ることができる。また、小片はキューブ状に成形し、マルチングキューブとすることができる。すなわち、本発明の雑草抑止マルチング材又は雑草抑止マルチングキューブ（以下両者を代表して「雑草抑止マルチング材」という）を雑草の発生・生育を抑止したい個所（施工面）に所定の厚さ（例えば１０〜１５ｃｍ）に敷き詰めることにより、飛来し発芽した雑草の根が土中へ浸透することを防ぎ、地中で発芽した雑草の発育を抑制することが出来る。これは雑草抑止マルチング材のもつ遮光性・貫通抵抗力の作用である。また、小片に成形されているので軽く、地面の凹凸に応じて変形するので、施工性に優れるものである。耐腐食性もチップマルチング工法よりも優れており、５〜６年の耐用年数を見込むことができる。さらに、道路維持管理工事・土木工事における自然廃棄物のリサイクルをその発生現場において実現できる。さらに本発明の雑草抑止マルチング材は耐用年経過後は、回収・廃棄・焼却等の処分は必要としない。すなわち、比較的劣化の起こり易い表層部に所定の厚さで敷き足していけば良い。また、耐用年経過以前のものは回収後、同様の製品に再生可能であり廃棄物の発生とはならない。
【００１０】
木発明において自然廃棄物とは勢定枝、刈り取った雑草、廃木材、森林の間伐材・抜根材などの従来は廃棄物となっていた植物性の物質である。
【００１１】
本発明の、雑草抑止マルチング材に使用するバインダーは、セメントなどの水硬性材料や、ポリエチレン・ポリプロピレン・ＥＶＡ（エチレン酢酸ビニル共重合体）等の熱可塑性樹脂とすることができる。セメントは安価で生産加工も手軽である。熱可塑性樹脂は安価で取り扱いも容易であり、通常の押出成形機やプレス成形機・造粒機で容易に成形することが出来る。小片の形状はキューブ（立方体）状、直方体状、円柱状、多面体状、変形多面体状、繭形状、球状など、所望の形状とすることができるが、球状は傾斜地において転がってしまうおそれがあるので、キューブ（立方体）状又は直方体状がもっとも適当な形状である。樹脂はバージンであるか再生レジン（廃プラ）であるかは問わない。また所望により熱硬化性樹脂を使用することも可能である。
【００１２】
また、本発明の雑草抑止マルチング材には生分解性の樹脂を用いることができる。生分解性の樹脂を用いると雑草抑止マルチング材全体が分解して土に戻るので、ゴミの問題が完全に解消される。
【００１３】
自然廃棄物の破砕片、破砕粉は、剪定枝、廃木材、森林の間伐材や伐根材などの木材、あるいは、除草工事で刈り取られた草を、破砕・乾燥させたもので、例えば、これらの発生材をチッパシュレッダで１次破砕した後、ハンマクラッシャ等で２次破砕し、また、必要に応じてふるいにかけ、所定の粒径（通常３〜５ｍｍ程度）の破砕片を得ることができる。破砕片を更に微粉砕機を通すことで破砕粉（粒径３ｍｍ程度以下）を得ることができる。破砕粉は粒径数１００μｍ以下のパウダー状であればなおセメントや樹脂との成型効率が向上する。使用する破砕片又は破砕分の粒径は製造するマルチング材の小片の大きさにより適宜選択すればよい。
【００１４】
所望により、着色剤、エラストマー（柔軟剤）、フェライト等の金属微粉（増量剤）等を添加して混練りすることも可能である。着色剤を添加すると遮光性が向上し、施工後の景観も好ましいものにる。また、柔軟剤や増量剤は所望の性状の製品を得るために適宜添加すればよい。フェライト等の金属微粉を混練りすることで、マルチング材自体の比重が増加し、地表面への着陸安定性と雑草の発育阻害に貢献する。
【００１５】
フェライト等の金属微粉に着磁させマルチング材自体に磁性を持たせると、施工後の地面への馴染み性が更に向上する。
【００１６】
本発明の雑草抑止マルチング材は、バインダーの割合が２〜５５重量％であることが望ましい。これよりも少ないと製品の強度、特に貫通抵抗性が低下する。これよりも多いと自然廃棄物の利用が不十分となる。
【００１７】
本発明の雑草抑止マルチング材の大きさは最大径において０．２〜９．５ｃｍ、キューブ状の場合は一辺の長さが０．１〜５．５ｃｍ程度が適当である。最大径又は一辺の長さがこれよりも小さいと強度や貫通抵抗性が低下し、これよりも大きいと不経済となるばかりか、地面の凹凸に即した変形が制限されるようになり、施工性が低下する。
【００１８】
【発明の実施の形態】
ＥＶＡ樹脂３０重量％、木材の粉砕材７０重量％を混練した後、押し出し成形により一辺２ｃｍのキューブ状に成形し、実施例の雑草抑止マルチング材を得た。このマルチング材は十分な遮光性と貫通抵抗性を有しており、優れた雑草抑止効果を得ることができた。
【００１９】
【発明の効果】
本発明の雑草抑止マルチング材は、飛来し発芽した雑草の根が土中へ浸透することを防ぎ、地中で発芽した雑草の発育を抑制することが出来る。また、小片であるので軽く、地面の凹凸に応じて変形するので、施工性に優れるものである。耐腐食性も剪定枝葉チップによるマルチング工法よりも優れており、５〜６年の耐用年数を見込むことができる。さらに、道路維持管理工事・土木現場等で発生する自然廃棄物の発生現場へのリサイクル利用を可能にすることにより、雑草刈り取り（除草）工事費の縮減、自然廃棄物焼却処分費の縮減、及び維持管理コストの低減も同時に図れる効果がある。
【手続補正書】
【提出日】平成15年1月14日(2003.1.14)
【手続補正１】
【補正対象書類名】明細書
【補正対象項目名】００１０
【補正方法】変更
【補正の内容】
【００１０】本発明において自然廃棄物とは剪定枝、刈り取った雑草、廃木材、森林の間伐材・抜根材などの従来は廃棄物となっていた植物性の物質である。